(57)【要約】  通信装置（１００）は、通信装置（１００）の電源をＯＦＦ状態にするための指示を受け付ける受付部（１５０）と、記録媒体（１０４、１４２）からデータを取得する取得部（１３０）と、取得したデータを他の電子機器（２５０）に送信する通信部（１７１）と、通信装置（１００）の電源を制御する制御部（１３０）と、を備える。制御部（１３０）は、受付部（１５０）が電源をＯＦＦ状態にするための指示を受け付けた後、所定時間の間、少なくとも、他の電子機器（２５０）との間で通信を確立するために電力供給が必要な構成要素に対して、電力を供給する。
2013118487.tif 000002
【特許請求の範囲】
【請求項１】
自装置の電源をＯＦＦ状態にするための指示を受け付ける受付部と、
記録媒体からデータを取得する取得部と、
前記取得したデータを他の電子機器に送信する通信部と、
自装置の電源を制御する制御部と、
を備え、
前記制御部は、前記受付部が前記電源をＯＦＦ状態にするための指示を受け付けた後、所定時間の間、少なくとも、前記他の電子機器との間で通信を確立するために電力供給が必要な構成要素に対して、電力を供給する、
通信装置。
【請求項２】
前記電力供給が必要な構成要素は、前記通信部および前記制御部である、
請求項１記載の通信装置。
【請求項３】
前記制御部は、前記電力供給が必要な構成要素以外の構成要素への電力供給を停止する、
請求項１または２記載の通信装置。
【請求項４】
前記通信部は、前記所定時間内に前記通信部が前記他の電子機器との通信を確立したとき、前記取得したデータを前記他の電子機器に送信し、
前記制御部は、前記通信部が前記取得したデータの前記他の電子機器への送信を終了したとき、前記通信装置の電源をＯＦＦ状態にする、
請求項１および３のいずれか一項に記載の通信装置。
【請求項５】
前記通信部は、前記所定時間内に前記通信部が前記他の電子機器との通信を確立したとき、前記取得したデータを前記他の電子機器に送信し、
前記制御部は、前記通信部が前記取得したデータの前記他の電子機器への送信を終了した後、さらに別の所定時間の間、少なくとも、前記電力供給が必要な構成要素に対して、電力を供給する、
請求項１および３のいずれか一項に記載の通信装置。
【請求項６】
前記制御部は、前記所定時間内に前記通信部が前記他の電子機器との通信を確立しなかったとき、前記通信装置の電源をＯＦＦ状態にする、
請求項１および３のいずれか一項に記載の通信装置。
【発明の詳細な説明】
【技術分野】
【０００１】
本開示は、他の装置と通信できる通信装置に関する。
【背景技術】
【０００２】
特許文献１には、撮像指示に応じて撮像画像を外部記録媒体に記録するとともに無線通信機能により外部に送信する撮像装置が開示されている。特許文献１記載の撮像装置は、撮像画像を一時的に記憶する一時記憶手段と、無線通信機能の中断を判断する判断手段と、判断手段により無線通信機能の中断を判断した場合は、撮影画像の無線通信機能による外部への送信を中断し、一時記憶手段に一時的に記憶された撮影画像の外部記録媒体への記録動作を継続するよう制御する制御手段とを有する。
【先行技術文献】
【特許文献】
【０００３】
【特許文献１】特開２００７−１５８６０４号公報
【発明の概要】
【発明が解決しようとする課題】
【０００４】
通信装置がデータを他の通信装置に対して転送する場合、ユーザは通信装置と他の通信装置との双方を操作しなければならず、ユーザにとって操作性が悪かった。【０００５】
本開示は、データを他の通信装置へ転送するときの利便性を向上した通信装置を提供する。
【課題を解決するための手段】
【０００６】
本開示における通信装置は、通信装置の電源をＯＦＦ状態にするための指示を受け付ける受付部と、記録媒体からデータを取得する取得部と、取得したデータを他の電子機器に送信する通信部と、通信装置の電源を制御する制御部と、を備える。制御部は、受付部が電源をＯＦＦ状態にするための指示を受け付けた後、所定時間の間、少なくとも、他の電子機器との間で通信を確立するために電力供給が必要な構成要素に対して、電力を供給する。
【発明の効果】
【０００７】
本開示における通信装置によれば、データを他の通信装置へ転送するときにユーザは通信装置および他の電子機器の双方を同時に操作する必要がない。よって、データを他の電子機器へ転送するときの利便性を向上できる。
【図面の簡単な説明】
【０００８】
【図１】実施形態１の、デジタルカメラとスマートフォンとで構成される通信システムを示す図。
【図２】実施形態１のデジタルカメラの電気的構成を示す図。
【図３】実施形態１のスマートフォンの電気的構成を示す図。
【図４】実施形態１における、デジタルカメラとスマートフォンとの間の通信におけるデジタルカメラの動作を示すフローチャート。
【図５】実施形態１での、送信する画像を選択するためのＧＵＩを示す図。
【図６】ユーザによる実施形態１のデジタルカメラおよびスマートフォンの使用例を説明するための図。
【図７】実施形態２における、デジタルカメラとスマートフォンとの間の通信での、デジタルカメラの動作を示すフローチャート。
【図８】実施形態３における、デジタルカメラとスマートフォンとの間の通信での、デジタルカメラの動作を示すフローチャート。
【発明を実施するための形態】
【０００９】
以下、図面を参照しながら実施形態について説明する。実施形態の一例としてデジタルカメラを用いる。
【００１０】
ただし、以下の説明において、従来技術および実質的に同一の構成に関する説明のうち不必要な部分は省略されることもある。これは、説明を簡単にするためである。
【００１１】
また、以下の説明および添付の図面は、当業者が本開示を充分に理解できるよう開示されるのであって、特許請求の範囲の主題を限定することを意図されていない。
【００１２】
＜１．実施形態１＞
以下、実施形態１におけるデジタルカメラおよびスマートフォンの構成および動作を説明する。
【００１３】
＜１−１．構成＞
以下、図面を用いて本実施形態のシステムの構成と、デジタルカメラおよびスマートフォンの構成を説明する。
【００１４】
＜１−１−１．デジタルカメラおよびスマートフォンによって構成される通信システムの構成＞
図１を用いて、本実施形態におけるデジタルカメラおよびスマートフォンによって構成されるシステムの構成について説明する。
【００１５】
本実施形態の通信システムは、デジタルカメラ１００およびスマートフォン２５０によって構成される。
【００１６】
デジタルカメラ１００はスマートフォン２５０と通信するための通信部を備える。デジタルカメラ１００は、撮影待機画面に表示される撮影画像（以下、「スルー画像」と称す）データおよび、記録媒体に記録された画像（以下、「記録画像」と称す）データをスマートフォン２５０へと送信することが可能である。また、デジタルカメラ１００は、撮影により新たに取得した記録画像のデータを、スマートフォン２５０に送信することができる。
【００１７】
スマートフォン２５０はデジタルカメラ１００と通信するための通信部を備える。スマートフォン２５０は、デジタルカメラ１００から送信されたスルー画像および記録画像を受信する。スマートフォン２５０は、デジタルカメラ１００よりスルー画像を受信することにより、スマートフォン２５０が備える表示部にスルー画像を表示することができる。
【００１８】
＜１−１−２．デジタルカメラの構成＞
図２は、デジタルカメラ１００の電気的構成を示す図である。
【００１９】
デジタルカメラ１００は、光学系１１０と、ＣＣＤイメージセンサ１２０と、ＡＦＥ（アナログ・フロント・エンド）１２１と、画像処理部１２２と、液晶モニタ１２３と、バッファメモリ１２４と、コントローラ１３０と、メモリカード１４０を格納できるカードスロット１４１と、フラッシュメモリ１４２と、操作部１５０と、電源１６０と、通信部１７１とを備える。
【００２０】
デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは、ＡＦＥ１２１および画像処理部１２２において各種処理が施される。生成された画像データはフラッシュメモリ１４２および／またはメモリカード１４０に格納される。フラッシュメモリ１４２および／またはメモリカード１４０に記録された画像データに基づく画像は、ユーザによる操作部１５０への操作に従って液晶モニタ１２３上に表示される。
【００２１】
光学系１１０は、フォーカスレンズ１１１、ズームレンズ１１２、絞り１１３、およびシャッタ１１４を含む。なお、光学系１１０は、光学式手ぶれ補正レンズＯＩＳ（図示せず）を含んでいてもよい。また、光学系１１０を構成する各種レンズは任意の数のレンズから構成されても、任意の数のレンズ群から構成されてもよい。
【００２２】
ＣＣＤイメージセンサ１２０は、光学系１１０を通して形成された被写体像を撮像して画像データを生成する。ＣＣＤイメージセンサ１２０は、所定のフレームレート（例えば、３０フレーム／秒）で新しいフレームの画像データを生成する。ＣＣＤイメージセンサ１２０が画像データを生成するタイミングおよびＣＣＤイメージセンサ１２０の電子シャッタ動作は、コントローラ１３０によって制御される。生成された画像データをスルー画像として逐一液晶モニタ１２３に表示することにより、ユーザはリアルタイムに被写体の状況を液晶モニタ１２３で確認できる。
【００２３】
ＡＦＥ１２１は、ＣＣＤイメージセンサ１２０で生成された画像データに対して、相関二重サンプリングによる雑音抑圧と、アナログゲインコントローラによるＩＳＯ感度値に基づくゲインの乗算と、ＡＤコンバータによるＡＤ変換とを施す。その後、ＡＦＥ１２１は画像データを画像処理部１２２に出力する。
【００２４】
画像処理部１２２は、ＡＦＥ１２１から出力された画像データに対して各種の処理を施す。各種処理は、ＢＭ（ブロックメモリ）積算、スミア補正、ホワイトバランス補正、ガンマ補正、ＹＣ変換処理、電子ズーム処理、圧縮処理、および／または伸張処理を含むが、これらに限定されない。画像処理部１２２は、ハードワイヤードな電子回路で構成されてもよいし、プログラムを用いたマイクロコンピュータなどで構成されてもよい。また画像処理部１２２は、コントローラ１３０などとともに、１つの半導体チップで構成されてもよい。
【００２５】
液晶モニタ１２３は、デジタルカメラ１００の背面に設置される。液晶モニタ１２３は、画像処理部１２２にて処理された画像データに基づく画像を表示する。液晶モニタ１２３が表示する画像には、スルー画像や記録画像が含まれる。
【００２６】
コントローラ１３０は、デジタルカメラ１００全体の動作を制御する。また、コントローラ１３０はアクセスポイント機能を有する。コントローラ１３０は、ハードワイヤードな電子回路で構成されてもよいし、マイクロコンピュータなどで構成されてもよい。またコントローラ１３０は、画像処理部１２２などと共に、１つの半導体チップで構成されてもよい。
【００２７】
フラッシュメモリ１４２は、画像データ等を記録するための内部メモリとして機能する。また、フラッシュメモリ１４２は、オートフォーカス制御（ＡＦ制御）に関するプログラム、通信制御に関するプログラム、および／またはデジタルカメラ１００全体の動作を制御するためのプログラム等を格納している。
【００２８】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。
【００２９】
カードスロット１４１は、メモリカード１４０を格納できる接続手段である。カードスロット１４１は、メモリカード１４０と電気的及び機械的に接続可能である。なお、カードスロット１４１は、メモリカード１４０を制御する機能を備えてもよい。
【００３０】
メモリカード１４０は、内部にフラッシュメモリ等の記憶素子を備えた外部メモリである。メモリカード１４０は、画像処理部１２２で処理された画像データなどのデータを格納可能である。
【００３１】
通信部１７１は、無線または有線の通信インターフェースである。コントローラ１３０は通信部１７１およびアクセスポイント経由でインターネット網に接続することができる。通信部１７１は、例えば、ＵＳＢ、Ｂｌｕｅｔｏｏｔｈ（登録商標）、無線ＬＡＮ、または有線ＬＡＮ等により実現可能である。
【００３２】
電源１６０は、デジタルカメラ１００の各部に電力を供給する。電源１６０は、デジタルカメラ１００に格納されたバッテリであってもよいし、外部のＡＣ電源から電力をケーブルを介して取り込むよう構成されてもよい。
【００３３】
操作部１５０は、デジタルカメラ１００の外装に設置された操作釦、操作レバー、および／または電源スイッチを含む。操作部１５０はユーザによる操作を受け付ける。操作部１５０はユーザによる操作を受け付けると、種々の動作を指示するための信号をコントローラ１３０に送信する。電源スイッチは、電源１６０によるデジタルカメラ１００への電力供給を開始または停止させるための（つまり、デジタルカメラ１００の電源１６０をＯＮ状態またはＯＦＦ状態に切り替えるための）スイッチである。
【００３４】
＜１−１−３．スマートフォンの構成＞
図３を用いて、スマートフォン２５０の構成について説明する。図３は、スマートフォン２５０の電気的構成を示す図である。
【００３５】
スマートフォン２５０は、コントローラ２５１と、ワークメモリ２５２と、フラッシュメモリ２５３と、通信部２５４と、液晶モニタ２５６と、タッチパネル２５７とを備える。スマートフォン２５０は、撮像部、および／または画像処理部を備えてもよい。
【００３６】
コントローラ２５１は、スマートフォン２５０上の処理を実行する処理手段である。コントローラ２５１は、ワークメモリ２５２と、フラッシュメモリ２５３と、通信部２５４と、液晶モニタ２５６と、タッチパネル２５７とに電気的に接続されている。コントローラ２５１は、タッチパネル２５７上のユーザによる操作を受け付ける。コントローラ２５１は、データをフラッシュメモリ２５３に格納したり、フラッシュメモリ２５３からデータを読み出したりすることができる。またコントローラ２５１は、スマートフォン２５０の各部に供給される電力に関するシステム等を制御している。またコントローラ２５１は電話機能およびインターネットを介してダウンロードした各種アプリケーションを実行する。
【００３７】
ワークメモリ２５２は、コントローラ２５１が各種処理を実行するために必要な情報を一時的に格納するメモリである。
【００３８】
フラッシュメモリ２５３は、各種データを格納する大容量のディスクドライブである。上述したように、フラッシュメモリ２５３に格納された各種データは、適宜コントローラ２５１により読み出し可能である。なお、本実施形態では、スマートフォン２５０はフラッシュメモリ２５３を備えたが、スマートフォン２５０がフラッシュメモリでなく他の種類の記録媒体（ハードディスクドライブ等）を備えても良い。
【００３９】
液晶モニタ２５６は、コントローラ２５１によって指定された画面を表示する表示デバイスである。
【００４０】
タッチパネル２５７は、ユーザの操作を受け付ける入力デバイスである。なお、本実施形態では、スマートフォン２５０がユーザの操作を受け付ける入力デバイスとしてタッチパネル２５７を備えたが、スマートフォン２５０がタッチパネルでなく他の種類の入力デバイス（ハードキー等）を備えても良い。
【００４１】
通信部２５４は、インターネット網を介して他の装置から受信したデータをコントローラ２５１に入力したり、コントローラ２５１から受け取った画像データをインターネット網を介して他の装置に送信したりすることができる。通信部２５４は、例えば、有線ＬＡＮまたは無線ＬＡＮにより実現することが可能である。
【００４２】
＜１−２．デジタルカメラの動作＞
以下、デジタルカメラ１００の動作について説明する。まずデジタルカメラ１００の基本動作について説明し、その後、デジタルカメラ１００とスマートフォン２５０との間の通信におけるデジタルカメラ１００の動作について説明する。
【００４３】
＜１−２−１．デジタルカメラの基本動作＞
デジタルカメラ１００のコントローラ１３０は、デジタルカメラ１００の電源がＯＮ状態に切り替えられると、デジタルカメラ１００の各部に電力を供給し、デジタルカメラ１００を撮影が可能な状態に制御する。
【００４４】
デジタルカメラ１００は、撮影モードと、再生モードとを有している。デジタルカメラ１００が撮影モードに設定されているときは、コントローラ１３０は、光学系１１０を通じて入射された被写体像からＣＣＤイメージセンサ１２０により撮像された画像データに基づくスルー画像を、液晶モニタ１２３に表示する。
【００４５】
スルー画像が液晶モニタ１２３に表示されることにより、ユーザは、液晶モニタ１２３に表示されているスルー画像を見ることにより、被写体の画角等が撮影を所望するものであるか否かを確認できる。そして、ユーザが所望のタイミングでレリーズ釦を押下することにより、そのタイミングにＣＣＤイメージセンサ１２０によって撮像された画像は、画像処理部１２２により処理されて、記録画像としてメモリカード１４０に記録される。
【００４６】
一方、デジタルカメラ１００が再生モードに設定されているときは、コントローラ１３０は、メモリカード１４０に記録済みの画像を読み出して、読み出した画像を液晶モニタ１２３に表示する。これにより、ユーザは、記録済みの画像を確認することができる。
【００４７】
＜１−２−２．デジタルカメラの通信動作＞
図４を用いて、デジタルカメラ１００とスマートフォン２５０との間の通信におけるデジタルカメラ１００の動作について説明する。図４は、デジタルカメラ１００とスマートフォン２５０との間の通信におけるデジタルカメラ１００の動作を示すフローチャートである。
【００４８】
デジタルカメラ１００の電源がＯＮ状態であるときに、コントローラ１３０は、ユーザにより操作部１５０が操作されて電源ＯＦＦ指示（電源ＯＦＦ操作）がなされた否かを監視している（Ｓ３００）。
【００４９】
コントローラ１３０は、ユーザにより電源ＯＦＦ操作が為されるまでは、電源（バッテリ等）による電力供給が継続されている限り、デジタルカメラ１００の電源ＯＮ状態を維持する（ステップＳ３００におけるＮｏ）。
【００５０】
一方、ユーザにより電源ＯＦＦ操作が為されたことを検出すると（ステップＳ３００におけるＹｅｓ）、コントローラ１３０は、電力の供給を要する構成要素のうち、一部の構成要素への電力供給を停止する（Ｓ３０１）。すなわち、デジタルカメラ１００は、ユーザにより電源ＯＦＦ操作が為されると、一部電源をＯＦＦ状態に移行させる。
【００５１】
ここで、電力供給を停止される一部の構成要素は、通信機能に関係のない構成要素である。通信機能に関係のない構成要素は、具体的には、光学系１１０を駆動するための駆動部、ＣＣＤイメージセンサ１２０、およびＡＦＥ１２１等の撮影のみに関する撮影部、および液晶モニタ１２３といった表示部等である。すなわち、ユーザによる電源ＯＦＦ操作が為されると、コントローラ１３０は、通信機能に関係のない構成要素への電力供給を停止するよう、各部を制御する。
【００５２】
これにより、デジタルカメラ１００とスマートフォン２５０との間の通信が開始されるまでの待機期間の、デジタルカメラ１００の消費電力を、電力が全ての構成要素へ供給された場合に比べて、低減させることができる。
【００５３】
また、このとき、コントローラ１３０は、通信部１７１などの通信機能に関する構成要素および、通信中に使用する可能性のある構成要素（メモリカード１４０、カードスロット１４１、およびフラッシュメモリ１４２など）への電力供給を継続する。また、コントローラ１３０は、デジタルカメラ１００のアクセスポイント機能を起動状態に維持する。
【００５４】
その後、デジタルカメラ１００のコントローラ１３０は、所定時間の間、スマートフォン２５０等の通信装置からの接続要求を受信するまで待機する（Ｓ３０２）。ここで所定時間は、例えば、数分、または約１時間である。このとき、デジタルカメラ１００のコントローラ１３０は、アクセスポイント機能を起動状態に維持しており、スマートフォン２５０等の通信装置（クライアント装置）がデジタルカメラ１００へ接続できる状態を維持している。これにより、スマートフォン２５０等の通信装置は、デジタルカメラ１００を接続相手として発見できる。
【００５５】
待機中、デジタルカメラ１００のコントローラ１３０は、スマートフォン２５０からデジタルカメラ１００への接続要求があったか否かを監視している（Ｓ３０３）。デジタルカメラ１００は電源ＯＦＦ操作後もアクセスポイント機能を起動状態に維持しているので、クライアントとなるスマートフォン２５０はデジタルカメラ１００を接続相手として発見できる。また、デジタルカメラ１００のコントローラ１３０は、接続要求を待機する所定の時間が経過したか否かを判定する（Ｓ３０９）。
【００５６】
デジタルカメラ１００のコントローラ１３０は、接続要求を待機する所定の時間が経過するまでは（ステップＳ３０９におけるＮｏ）、接続待機（Ｓ３０２）、接続要求の判定（Ｓ３０３）、および所定時間が経過したか否かの判定（Ｓ３０９）の動作を繰り返す。
【００５７】
デジタルカメラ１００のコントローラ１３０は、スマートフォン２５０からの接続要求がなく所定時間が経過した場合（ステップＳ３０９におけるＹｅｓ）、デジタルカメラ１００を構成する全ての構成要素への電力供給を停止する（Ｓ３１０）。すなわち、コントローラ１３０は、通信機能に関係のない構成要素への電力供給はすでに停止しているので（Ｓ３０１）、デジタルカメラ１００のコントローラ１３０は、通信機能に関係する残りの構成要素（通信部１７１、メモリカード１４０、カードスロット１４１など）への電力供給を停止する。これにより、デジタルカメラ１００の電源１６０は完全に電源ＯＦＦ状態となり、デジタルカメラ１００は非動作状態となる。
【００５８】
一方、スマートフォン２５０から接続要求があった場合（ステップＳ３０３におけるＹｅｓ）、デジタルカメラ１００は、通信部１７１と通信部２５４とを介して、スマートフォン２５０に対して接続動作を行なう（Ｓ３０４）。具体的には、デジタルカメラ１００は以下の手順でスマートフォン２５０と接続して通信を確立する。
【００５９】
デジタルカメラ１００はアクセスポイント機能を起動状態に維持しているので、スマートフォン２５０のコントローラ２５１は接続可能なアクセスポイントの一覧に基づいてデジタルカメラ１００を接続相手として指定することができる。
【００６０】
なお、スマートフォン２５０は、接続相手を指定するとき、接続可能なアクセスポイントを自動的に指定してもよいし、ユーザによって指定されたアクセスポイントを指定してもよい。スマートフォン２５０がユーザによって指定されたアクセスポイントを指定した場合、スマートフォン２５０は、２回目以降の接続相手の指定時に、ユーザによって指定された接続相手（デジタルカメラ１００）を自動的に指定してもよい。
【００６１】
スマートフォン２５０のコントローラ２５１は、デジタルカメラ１００を接続相手として指定すると、通信部２５４を介して、デジタルカメラ１００に対して接続要求を送信する。デジタルカメラ１００のコントローラ１３０は、通信部１７１を介してスマートフォン２５０からの接続要求を受信すると、スマートフォン２５０のコントローラ２５１に、デジタルカメラ１００への接続を許可することを示す情報を送信する。ただし、接続許可を示す情報は、デジタルカメラ１００に接続制限などの制限が設定されている場合は送信されない。スマートフォン２５０のコントローラ２５１が接続許可を示す情報を受信すると、デジタルカメラ１００とスマートフォン２５０との間の通信部１７１および通信部２５４を介した通信は確立される。すなわち、デジタルカメラ１００は、電源ＯＦＦ操作後の所定時間内であれば、スマートフォン２５０から接続要求を受けると、スマートフォン２５０との通信を確立させることができる。
【００６２】
通信が確立されると、デジタルカメラ１００のコントローラ１３０は、通信相手のスマートフォン２５０に対して、メモリカード１４０内の画像を送信する（Ｓ３０５）。スマートフォン２５０に送信される画像は所定の方法で決定される。
【００６３】
デジタルカメラ１００がスマートフォン２５０に対して送信する画像を決定するための所定の方法について、３つの例を挙げて説明する。
【００６４】
一つ目の決定方法として、ユーザが送信対象として１つ以上の画像をデジタルカメラ１００で予め選択する。具体的には以下に示す手順で画像が選択される。図５は、送信する画像を選択するためのＧＵＩ（Graphical User Interface）を示す図である。ＧＵＩには、メモリカード１４０に格納された画像Ｐ１が表示される。再生モードにおいて、ユーザは、例えば液晶モニタ１２３に表示されるＧＵＩ上で画像Ｐ１を閲覧しながら、操作部１５０を操作して送信対象の１つ以上の画像を選択していく。選択された画像に対しては、チェックマークＢ１が表示される。ユーザは、送信対象の画像の選択を終えると、選択が完了されたことをデジタルカメラ１００に示すための操作を行う。デジタルカメラ１００のコントローラ１３０は、この選択完了を示す操作を受けると、ユーザが送信対象として選択した画像の一覧を示す管理情報（リスト）を作成して管理情報をフラッシュメモリ１４２に保存する。そして、デジタルカメラ１００とスマートフォン２５０との間の通信が確立されたときに（Ｓ３０４）、デジタルカメラ１００のコントローラ１３０は、フラッシュメモリ１４２に保存された管理情報に従って、スマートフォン２５０に画像を送信する（Ｓ３０５）。
【００６５】
二つ目の決定方法は次の通りである。デジタルカメラ１００は、スマートフォン２５０に送信済みの画像のリストを作成し、リストをフラッシュメモリ１４２に保存する。デジタルカメラ１００とスマートフォン２５０との間の通信が確立されたときに（Ｓ３０４）、デジタルカメラ１００のコントローラ１３０は、フラッシュメモリ１４２内の送信済みの画像のリストを参照して、メモリカード１４０内の画像のうち未送信の画像をスマートフォン２５０に送信する（Ｓ３０５）。
【００６６】
三つ目の決定方法は次の通りである。スマートフォン２５０が、デジタルカメラ１００から取得済みの画像のリストを作成し、リストをフラッシュメモリ２５３に保存する。デジタルカメラ１００とスマートフォン２５０との間の通信が確立されたとき（Ｓ３０４）、スマートフォン２５０は、取得済みの画像のリストをデジタルカメラ１００に送信する。そして、デジタルカメラ１００のコントローラ１３０は、受信した取得済みの画像のリストを参照して、メモリカード１４０内の画像のうち、スマートフォン２５０が取得していない画像のリストを作成する。デジタルカメラ１００のコントローラ１３０は、この未取得画像のリストを参照して、未取得画像をスマートフォン２５０に送信する（Ｓ３０５）。
【００６７】
デジタルカメラ１００は上記３つの決定方法のうちの１つを行なうよう予め構成されてもよい。また、上記３つの決定方法のうちの１つが、電源ＯＦＦ操作時にユーザによって選択されてもよい。
【００６８】
上記のいずれかの方法で決定された画像が送信された（Ｓ３０５）後、デジタルカメラ１００のコントローラ１３０は、スマートフォン２５０に送信すべき画像が残っているか否か、すなわち画像転送が終了したか否かを判定する（Ｓ３０６）。
【００６９】
スマートフォン２５０に送信すべき画像が残っている場合、すなわち画像転送が終了していない場合（ステップＳ３０６におけるＮｏ）、デジタルカメラ１００のコントローラ１３０は、スマートフォン２５０への画像転送を継続する。
【００７０】
一方、スマートフォン２５０に送信すべき画像が残っていない場合、すなわち画像転送が終了した場合（ステップＳ３０６におけるＹｅｓ）、デジタルカメラ１００のコントローラ１３０は、スマートフォン２５０との通信を切断する（Ｓ３０７）。具体的には、デジタルカメラ１００のコントローラ１３０は、アクセスポイント機能を停止する。これによりスマートフォン２５０は通信を確立していたアクセスポイントを見失うので、通信が切断される。
【００７１】
スマートフォン２５０との通信が切断されると、デジタルカメラ１００のコントローラ１３０は、デジタルカメラ１００の全ての構成要素への電力供給を停止する（Ｓ３０８）。電源ＯＦＦ操作時に通信機能に関係のない構成要素への電力供給はすでに停止されているので（Ｓ３０１）、デジタルカメラ１００のコントローラ１３０は、通信機能に関係する残りの構成要素（通信部１７１、メモリカード１４０、カードスロット１４１など）への電力供給を停止する。これにより、デジタルカメラ１００の電源は完全にＯＦＦ状態となり、デジタルカメラ１００は非動作状態となる。
【００７２】
以上のように、本実施形態のデジタルカメラ１００は、電源ＯＦＦ操作後も、所定の時間は、スマートフォン２５０からの接続要求を受信するまで待機する。そしてデジタルカメラ１００は、所定の時間内にスマートフォン２５０からの接続要求があった場合、スマートフォン２５０との通信を確立して、スマートフォン２５０へ画像を転送する。その後デジタルカメラ１００は、画像の転送を終えると、全体の電源をＯＦＦ状態にする。一方、所定の時間内にスマートフォン２５０からの接続要求がなかった場合は、全体の電源を直ちにＯＦＦ状態にする。これによりデジタルカメラ１００は、デジタルカメラ１００に電源ＯＦＦ操作が為された後、しばらくの間はスマートフォン２５０との通信を確立させることが可能な状態を維持でき、かつスマートフォン２５０との通信を確立できないときは直ちに電源をＯＦＦ状態に切り替えることができる。
【００７３】
したがって、ユーザは、デジタルカメラ１００の電源ＯＦＦ後に画像をデジタルカメラ１００からスマートフォン２５０へ転送するときにデジタルカメラ１００とスマートフォン２５０との双方を操作する必要がなく、利便性を向上できる。
【００７４】
＜１−３．デジタルカメラの使用例＞
図６を用いて本実施形態のデジタルカメラ１００の使用例について、説明する。図６は、ユーザによるデジタルカメラ１００およびスマートフォン２５０の使用例を説明するための図である。
【００７５】
図６（Ａ）は、ユーザがデジタルカメラ１００を用いて所望の被写体を撮影している様子を示す図である。ユーザは、所望の被写体の撮影を終えるまで、図６（Ａ）に示す状態にある。
【００７６】
図６（Ｂ）は、ユーザがデジタルカメラ１００による撮影を終えて、カバン（ポケット等でもよい）にデジタルカメラ１００を収納した状態を示す図である。ユーザは、デジタルカメラ１００の撮影を終えると、操作部１５０を操作してデジタルカメラ１００の電源をＯＦＦに切り替えてから、カバン（ポケット等）にデジタルカメラ１００を収納している。
【００７７】
図６（Ｃ）は、デジタルカメラ１００をカバンに収納した後に、スマートフォン２５０の電源を入れた状態を示す図である。近年、携帯電話、およびスマートフォン２５０等のポータブル端末が普及して以来、暇をスマートフォン２５０の使用に費やす人が増えている。幾人かのユーザは、例えば、デジタルカメラ１００による撮影という「作業」を終えた後に、スマートフォン２５０でＷｅｂページをブラウジングしたり、ソーシャルネットワークのサイトを確認したりする傾向がある。このとき、カバン等に収納された本実施形態のデジタルカメラ１００は、電源ＯＦＦ操作後も通信機能が活かされているので、スマートフォン２５０はデジタルカメラ１００と通信できる。デジタルカメラ１００は、スマートフォン２５０との通信が確立されたときに画像の転送を開始させることができる。そして、デジタルカメラ１００は、画像をスマートフォン２５０へ転送しおわると、ユーザが操作することなく、電源をＯＦＦ状態に切り替える。
【００７８】
以上のように、ユーザが本実施形態のデジタルカメラ１００の電源をＯＦＦにした後の所定期間内にデータをスマートフォン２５０に転送するとき、デジタルカメラ１００およびスマートフォン２５０の双方を同時に操作する必要がない。したがって、利便性を向上できる。
【００７９】
＜１−４．まとめ＞
本実施形態のデジタルカメラ１００は、デジタルカメラ１００の電源をＯＦＦ状態にするための指示を受け付ける操作部１５０と、メモリカード１４０および／またはフラッシュメモリ１４２からデータを取得するコントローラ１３０と、取得したデータをスマートフォン２５０に送信する通信部１７１と、デジタルカメラ１００の電源を制御するコントローラ１３０と、を備える。コントローラ１３０は、操作部１５０が電源をＯＦＦ状態にするための指示を受け付けた後、所定時間の間、少なくとも、スマートフォン２５０との間で通信を確立するために電力供給が必要な構成要素に対して、電力を供給する。
【００８０】
上記構成を有するデジタルカメラ１００によれば、画像がデジタルカメラ１００からスマートフォン２５０へ転送されるときにユーザがデジタルカメラ１００およびスマートフォン２５０の双方を同時に操作する必要がない。よって、デジタルカメラ１００およびスマートフォン２５０の双方を同時に操作する場合に比べて、利便性を向上できる。
【００８１】
＜２．実施形態２＞
実施形態２について説明する。
【００８２】
実施形態１では、スマートフォン２５０へ送信される画像はデジタルカメラ１００に電源ＯＦＦ操作が為される前に選択された。そしてデジタルカメラ１００は、電源ＯＦＦ操作後にデジタルカメラ１００とスマートフォン２５０との間の通信が確立されたとき、選択された画像をスマートフォン２５０へ送信した。
【００８３】
これに対して、本実施形態では、スマートフォン２５０へ送信される画像は、電源ＯＦＦ操作後の所定期間内にデジタルカメラ１００とスマートフォン２５０との間の通信が確立された後に、スマートフォン２５０上で選択される。これ以外のデジタルカメラ１００の構成および動作は実施形態１と同じである。
【００８４】
図７を用いて、本実施形態のデジタルカメラ１００の動作について説明する。図７に示すように、本実施形態のデジタルカメラ１００は、電源がＯＮ状態に切り替えられてからスマートフォン２５０との通信が確立されるまでの動作（Ｓ３００〜Ｓ３０４、Ｓ３０９〜Ｓ３１０）を、実施形態１と同様に行なう。
【００８５】
その後、通信が確立されると、本実施形態のデジタルカメラ１００は、通信が確立されると、フラッシュメモリ１４２内の画像の一覧を示す情報をスマートフォン２５０へ送信し（Ｓ３１１）、タイマーを初期化する（Ｓ３１２）。以下、画像の一覧を示す情報を「一覧情報」と称す。
【００８６】
スマートフォン２５０は、一覧情報を受信すると、デジタルカメラ１００からスマートフォン２５０へ送信する画像をユーザに選択させるためのＧＵＩを、液晶モニタ２５６に表示する。例えば、図５に示すＧＵＩが表示される。このＧＵＩによってユーザは、デジタルカメラ１００上で画像を選択する場合と同様に、画像を選択できる。
【００８７】
画像の選択が完了すると、スマートフォン２５０は画像選択の完了を示す情報をデジタルカメラ１００に送信する。
【００８８】
デジタルカメラ１００のコントローラ１３０は、一覧情報を送信した後、デジタルカメラ１００からスマートフォン２５０へ送信する画像がユーザによって選択されたか否かを判定する（Ｓ３１３）。画像選択の判定は、デジタルカメラ１００が画像選択の完了を示す情報をスマートフォン２５０から受信したか否かに基づいて行なわれる。
【００８９】
デジタルカメラ１００のコントローラ１３０は、デジタルカメラ１００からスマートフォン２５０へ送信する画像がユーザによって選択されたと判定すると（ステップＳ３１３におけるＹｅｓ）、選択された画像をスマートフォン２５０に送信する（Ｓ３１４）。そしてデジタルカメラ１００は、タイマーを初期化する（Ｓ３１２）。
【００９０】
一方、デジタルカメラ１００は、デジタルカメラ１００からスマートフォン２５０へ送信する画像がユーザによって選択されていないと判定したときは（ステップＳ３１３におけるＮｏ）、タイマーの時間が所定時間（例えば数分）を過ぎたか否かを判定する（Ｓ３１５）。
【００９１】
デジタルカメラ１００は、タイマーの時間が所定時間を過ぎていないと判定したときは（ステップＳ３１５におけるＮｏ）、再び、デジタルカメラ１００からスマートフォン２５０へ送信する画像がユーザによって選択されたか否かを判定する（Ｓ３１３）。
【００９２】
一方、デジタルカメラ１００は、タイマーの時間が所定時間を過ぎたと判定すると（ステップＳ３１５におけるＹｅｓ）、スマートフォン２５０との通信を切断し（Ｓ３０７）、デジタルカメラ１００の全ての構成要素への電力供給を停止する（Ｓ３０８）。
【００９３】
以上の動作によっても、実施形態１と同様、画像がデジタルカメラ１００からスマートフォン２５０へ送信されるときの利便性を向上できる。
【００９４】
なお、本実施形態では、通信確立後にデジタルカメラ１００の全ての構成要素への電力供給が停止されるのは（Ｓ３０８）、所定時間内に画像が選択されない場合（ステップＳ３１５におけるＹｅｓ）であった。しかし、スマートフォン２５０上で画像が選択される代わりに、スマートフォン２５０上でデジタルカメラ１００の電源をＯＦＦ状態にするための操作が為されたときにも、デジタルカメラ１００の全ての構成要素への電力供給が停止されてもよい。
【００９５】
＜３．実施形態３＞
図８を用いて実施形態３について説明する。本実施形態のデジタルカメラ１００は、一部の動作を除いて、デジタルカメラ１００の構成および動作は実施形態１と同じである。
【００９６】
実施形態１のデジタルカメラ１００は、スマートフォン２５０への画像転送の終了後（ステップＳ３０６におけるＹｅｓ）、スマートフォン２５０との通信を切断した後（Ｓ３０７）、全ての構成要素への電力供給を停止した（Ｓ３０８）。これに対し、本実施形態のデジタルカメラ１００は、画像転送の終了後、（ステップＳ３０６におけるＹｅｓ）、スマートフォン２５０との通信を切断した後（Ｓ３０７）、全ての構成要素への電力供給を停止せず、再度、所定期間、通信に関係する最低限の構成要素以外への電力供給を維持して外部からの接続を受け付け可能な状態を維持する（Ｓ３０２）。
【００９７】
これにより、例えば、先程まで接続されていた装置と異なる装置からの接続を受け付け可能な状態を維持できる。
【００９８】
以上の動作によっても、実施形態１と同様、画像がデジタルカメラ１００からスマートフォン２５０へ送信されるときの利便性を向上できる。
【００９９】
＜４．他の実施形態＞
上記実施形態の思想は、以上で説明された実施形態に限定されない。種々の実施形態が考えられてもよい。以下、上記実施形態の思想を適用できる他の実施形態について説明する。
【０１００】
なお、本実施形態では、デジタルカメラ１００と通信する通信装置の一例としてスマートフォン２５０が用いられた。しかしスマートフォン２５０以外の装置が、デジタルカメラ１００と通信する通信装置として用いられてもよい。
【０１０１】
上記実施形態では、画像データがスマートフォン２５０に送信された。しかし上記実施形態の思想は画像データの送信に限定されない。画像データ以外のデータがスマートフォン２５０に送信されてもよい。例えば、動画データ、音声データ、または文書データが送信されてもよい。
【０１０２】
上記実施形態のデジタルカメラ１００は、電源ＯＦＦ操作が為されたとき（ステップＳ３００におけるＹｅｓ）、メモリカード１４０およびカードスロット１４１への電力供給を維持した（Ｓ３０１）。しかし上記実施形態の思想はこれに限定されない。電源ＯＦＦ操作が為されたとき、通信確立のために必要でない構成要素（メモリカード１４０およびカードスロット１４１等）への電力供給が停止されてもよい。ただし、この場合は、デジタルカメラ１００とスマートフォン２５０との間の通信が確立されたとき、デジタルカメラ１００はメモリカード１４０およびカードスロット１４１へ電力を供給する。要するに、デジタルカメラ１００は、スマートフォン２５０からの接続要求を待機している間（Ｓ３０２〜Ｓ３０３、Ｓ３０９）、少なくとも、スマートフォン２５０との間の通信を確立するために必要な構成要素に電力を供給する。
【０１０３】
上記実施形態のデジタルカメラ１００は、電源ＯＦＦ操作が為されたとき（ステップＳ３００におけるＹｅｓ）、デジタルカメラ１００の一部の構成要素のみに対する電力供給を維持した（Ｓ３０１）。これにより、デジタルカメラ１００の消費電力を低減できる。しかし上記実施形態の思想はこれに限定されない。電源ＯＦＦ操作が為されたとき、デジタルカメラ１００のそれまで電力を供給されていた全ての構成要素への電力供給を維持してもよい。このような制御によっても、上記実施形態と同様、ユーザは画像転送のためにデジタルカメラ１００およびスマートフォン２５０の双方を同時に操作する必要がないので、利便性を向上させることは可能である。
【０１０４】
上記実施形態において、デジタルカメラ１００がアクセスポイントとして機能することにより、デジタルカメラ１００とスマートフォン２５０との間の通信が確立された。しかし上記実施形態の思想はこれに限定されない。つまり、デジタルカメラ１００以外の装置がアクセスポイントとして機能してもよい。例えば、スマートフォン２５０がアクセスポイント機能を有してよい。この場合、デジタルカメラ１００がアクセスポイントであるスマートフォン２５０に接続要求を行なうことにより、通信が確立される。或いは、デジタルカメラ１００およびスマートフォン２５０以外のアクセスポイントを経由して、デジタルカメラ１００とスマートフォン２５０との間の通信が確立されてもよい。また、デジタルカメラ１００およびスマートフォン２５０が、アドホックモードにより通信を確立してもよい。要するに、デジタルカメラ１００は、電源ＯＦＦ操作が為されても、所定の時間内は、他の通信装置との間の通信を確立することが可能な状態を維持するよう構成されればよい。以上のように構成されたデジタルカメラ１００にも上記実施形態の思想を適用できる。
【０１０５】
また、上記実施形態では、デジタルカメラ１００のコントローラ１３０が、スマートフォン２５０に送信すべき画像が残っているか否かを判断した（Ｓ３０６）。そしてデジタルカメラ１００のコントローラ１３０は、スマートフォン２５０に送信すべき画像が残っていない場合に（ステップＳ３０６におけるＹｅｓ）、スマートフォン２５０との通信を切断した（Ｓ３０７）。しかし上記実施形態の思想はこれに限定されない。つまり、デジタルカメラ１００以外の装置が通信を切断してもよい。例えば、スマートフォン２５０がデジタルカメラ１００との通信を切断してもよい。この場合、デジタルカメラ１００は、送信すべきすべての画像の送信が終了すると、スマートフォン２５０に対して、全画像の送信完了を通知する。スマートフォン２５０は、デジタルカメラ１００からの送信完了通知を受信すると、デジタルカメラ１００との間の通信を切断する（ステップＳ３０７に相当）。デジタルカメラ１００のコントローラ１３０は、スマートフォン２５０との間の通信が切断されると、デジタルカメラ１００の全ての構成要素への電力供給を停止する（ステップＳ３０８に相当）。要するに、デジタルカメラ１００が、デジタルカメラ１００からスマートフォン２５０へ送信すべき画像が残っていないときにデジタルカメラ１００とスマートフォンとの間の通信が切断されるよう、構成される。このように構成されたデジタルカメラ１００には、上記実施形態の思想が適用できる。
【０１０６】
また、上記実施形態では、デジタルカメラ１００のコントローラ１３０は、スマートフォン２５０からの接続要求がないまま所定時間が経過した場合（ステップＳ３０９におけるＹｅｓ）は、デジタルカメラ１００の全ての構成要素への電力供給を停止する（Ｓ３１０）。すなわち、ステップＳ３０１において通信機能に関係のない構成要素への電力供給はすでに停止しているので、デジタルカメラ１００のコントローラ１３０は、通信機能に関係する残りの構成要素（通信部１７１、メモリカード１４０、カードスロット１４１等）への電力供給を停止した。しかし上記実施形態の思想はこれに限定されない。つまり、全ての構成要素への電力供給が停止された（Ｓ３１０）後においても、デジタルカメラ１００のコントローラ１３０は、通信機能に関する構成要素への電力供給を間欠的に行なってもよい。ただし、この場合、コントローラ１３０は、電力供給を停止するとき（Ｓ３１０）、コントローラ１３０自体への電力供給を維持する。
【０１０７】
これにより、デジタルカメラ１００に対して所定時間内にスマートフォン２５０からの接続要求がなかった場合（ステップＳ３０９におけるＹｅｓ）であっても、スマートフォン２５０との通信が確立される機会が与えられる。
【０１０８】
ここで、間欠的な電力供給は、具体的には次のように行なわれる。デジタルカメラ１００のコントローラ１３０は、通信機能に対して電力を間欠的に供給してから所定時間内にスマートフォン２５０との通信を確立することができた場合、送信すべき画像データを送信し終わるまで、スマートフォン２５０との通信を維持する。そしてコントローラ１３０は、送信すべき画像データを送信し終えると、通信機能に対する電力供給を停止する。一方、コントローラ１３０は、通信機能に対して電力を間欠的に供給してから所定時間内にスマートフォン２５０との通信状態を確立することができなかった場合、通信機能に対する電力供給を停止する。そしてデジタルカメラ１００のコントローラ１３０は、所定時間後に、再び通信機能に対して電力を間欠的に供給する。以上のように、デジタルカメラ１００は、電源ＯＦＦ後においても、通信機能の間欠動作を継続してもよい。
【０１０９】
これにより、デジタルカメラ１００は、電源ＯＦＦ操作後も、間欠的に通信機能を起動させるので、スマートフォン２５０と間の通信を確立する機会が与えられる。それとともに、間欠的に通信機能が起動されるので、常時電源ＯＮする場合よりも消費電力を低減できる。
【０１１０】
また、上記実施形態においては、デジタルカメラ１００が、電源ＯＦＦ操作を受け付けても、所定の時間は他の通信装置との通信を確立できる状態を維持する通信装置が、デジタルカメラであった。しかし、上記実施形態の思想は、デジタルカメラだけでなく、通信機能を有して画像等のデータを通信可能なデバイス（スマートフォン、タブレット等）に適用できる。
【０１１１】
また、上記実施形態のデジタルカメラ１００はレンズを内蔵したが、上記実施形態の思想はこれに限定されない。上記実施形態の思想はレンズを着脱可能なカメラにも適用可能である。
【０１１２】
また、上記実施形態のデジタルカメラ１００は、電源ＯＦＦ操作が為されると（ステップＳ３００におけるＹｅｓ）、通信に関係のない構成要素への電力供給を停止した（Ｓ３０１）。しかし、デジタルカメラ１００は、電源ＯＦＦ操作が為されたとき、スマートフォン２５０へ送信すべき画像があるか否かを判定してもよい。この場合、デジタルカメラ１００は、送信すべき画像がないと判定したとき、所定時間の経過を待つことなく、デジタルカメラ１００の全ての構成要素への電力供給を停止する。一方、デジタルカメラ１００は、送信すべき画像があると判定したときは、上記実施形態と同様、所定時間の間、スマートフォン２５０からの接続要求を待機する（Ｓ３０２〜Ｓ３０３、Ｓ３０９）。
【０１１３】
以上、本開示における技術の例示として、実施形態を説明した。そのために、詳細な説明および添付の図面を開示した。よって、詳細な説明および添付の図面に記載された構成要素の中には、課題解決のために必須でない構成要素が含まれることがある。したがって、それらの必須でない構成要素が、詳細な説明および添付の図面に記載されているからといって、それらの必須でない構成要素が必須であると直ちに認定されるべきではない。
【０１１４】
また、上記実施形態は、本開示における技術を例示するためのものである。よって、上記実施形態は、特許請求の範囲またはその均等の範囲において種々の変更、置換、付加および／または省略等を行なわれてもよい。
【産業上の利用可能性】
【０１１５】
本開示の思想は、画像等のデータを、通信を介して送信可能な通信装置に適用可能である。
【符号の説明】
【０１１６】
１００…デジタルカメラ
１１０…光学系
１１１…フォーカスレンズ
１１２…ズームレンズ
１１３…絞り
１１４…シャッタ
１２０…ＣＣＤイメージセンサ
１２１…ＡＦＥ（アナログ・フロント・エンド）
１２２…画像処理部
１２３…液晶モニタ
１２４…バッファメモリ
１３０…コントローラ
１４０…メモリカード
１４１…カードスロット
１４２…フラッシュメモリ
１５０…操作部
１６０…電源
１７１…通信部
２５０…スマートフォン
２５１…コントローラ
２５２…ワークメモリ
２５３…フラッシュメモリ
２５４…通信部
２５６…液晶モニタ
２５７…タッチパネル
【図１】
2013118487.tif 000003
【図２】
2013118487.tif 000004
【図３】
2013118487.tif 000005
【図４】
2013118487.tif 000006
【図５】
2013118487.tif 000007
【図６】
2013118487.tif 000008
【図７】
2013118487.tif 000009
【図８】
2013118487.tif 000010
【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
自装置の電源をＯＦＦ状態にするための指示を受け付ける受付部と、
記録媒体からデータを取得する取得部と、
前記取得したデータを他の電子機器に送信する通信部と、
自装置の電源を制御する制御部と、
を備え、
前記制御部は、前記受付部が前記電源をＯＦＦ状態にするための指示を受け付けた後、少なくとも、前記他の電子機器との間で通信を確立するために電力供給が必要な構成要素に対しては、所定の時間の間は継続して電力を供給する、
通信装置。
【請求項２】
前記電力供給が必要な構成要素は、前記通信部および前記制御部である、
請求項１記載の通信装置。
【請求項３】
前記制御部は、前記電力供給が必要な構成要素以外の構成要素への電力供給を停止する、
請求項１または２記載の通信装置。
【請求項４】
前記制御部は、
前記受付部が前記電源をＯＦＦ状態にするための指示を受け付けたとき、前記所定の時間の間、アクセスポイント機能を起動状態に維持し、前記他の電子機器から接続要求を受信可能な状態とする、
請求項１から３のいずれかに記載の通信装置。
【請求項５】
前記通信部は、前記所定時間内に前記通信部が前記他の電子機器との通信を確立したとき、前記取得したデータを前記他の電子機器に送信し、
前記制御部は、前記通信部が前記取得したデータの前記他の電子機器への送信を終了したとき、前記通信装置の電源をＯＦＦ状態にする、
請求項１から４のいずれか一項に記載の通信装置。
【請求項６】
前記通信部は、前記所定時間内に前記通信部が前記他の電子機器との通信を確立したとき、前記取得したデータを前記他の電子機器に送信し、
前記制御部は、前記通信部が前記取得したデータの前記他の電子機器への送信を終了した後、さらに別の所定時間の間、少なくとも、前記電力供給が必要な構成要素に対して、電力を供給する、
請求項１から４のいずれか一項に記載の通信装置。
【請求項７】
前記制御部は、前記所定時間内に前記通信部が前記他の電子機器との通信を確立しなかったとき、前記通信装置の電源をＯＦＦ状態にする、
請求項１から４のいずれか一項に記載の通信装置。
【手続補正２】
【補正対象書類名】明細書
【補正対象項目名】全文
【補正方法】変更
【補正の内容】
【発明の詳細な説明】
【技術分野】
【０００１】
本開示は、他の装置と通信できる通信装置に関する。
【背景技術】
【０００２】
特許文献１には、撮像指示に応じて撮像画像を外部記録媒体に記録するとともに無線通信機能により外部に送信する撮像装置が開示されている。特許文献１記載の撮像装置は、撮像画像を一時的に記憶する一時記憶手段と、無線通信機能の中断を判断する判断手段と、判断手段により無線通信機能の中断を判断した場合は、撮影画像の無線通信機能による外部への送信を中断し、一時記憶手段に一時的に記憶された撮影画像の外部記録媒体への記録動作を継続するよう制御する制御手段とを有する。
【先行技術文献】
【特許文献】
【０００３】
【特許文献１】特開２００７−１５８６０４号公報
【発明の概要】
【発明が解決しようとする課題】
【０００４】
通信装置がデータを他の通信装置に対して転送する場合、ユーザは通信装置と他の通信装置との双方を操作しなければならず、ユーザにとって操作性が悪かった。
【０００５】
本開示は、データを他の通信装置へ転送するときの利便性を向上した通信装置を提供する。
【課題を解決するための手段】
【０００６】
本開示における通信装置は、通信装置の電源をＯＦＦ状態にするための指示を受け付ける受付部と、記録媒体からデータを取得する取得部と、取得したデータを他の電子機器に送信する通信部と、通信装置の電源を制御する制御部と、を備える。制御部は、受付部が電源をＯＦＦ状態にするための指示を受け付けた後、少なくとも、他の電子機器との間で通信を確立するために電力供給が必要な構成要素に対しては、所定の時間の間は継続して電力を供給する。
【発明の効果】
【０００７】
本開示における通信装置によれば、データを他の通信装置へ転送するときにユーザは通信装置および他の電子機器の双方を同時に操作する必要がない。よって、データを他の電子機器へ転送するときの利便性を向上できる。
【図面の簡単な説明】
【０００８】
【図１】実施形態１の、デジタルカメラとスマートフォンとで構成される通信システムを示す図。
【図２】実施形態１のデジタルカメラの電気的構成を示す図。
【図３】実施形態１のスマートフォンの電気的構成を示す図。
【図４】実施形態１における、デジタルカメラとスマートフォンとの間の通信におけるデジタルカメラの動作を示すフローチャート。
【図５】実施形態１での、送信する画像を選択するためのＧＵＩを示す図。
【図６】ユーザによる実施形態１のデジタルカメラおよびスマートフォンの使用例を説明するための図。
【図７】実施形態２における、デジタルカメラとスマートフォンとの間の通信での、デジタルカメラの動作を示すフローチャート。
【図８】実施形態３における、デジタルカメラとスマートフォンとの間の通信での、デジタルカメラの動作を示すフローチャート。
【発明を実施するための形態】
【０００９】
以下、図面を参照しながら実施形態について説明する。実施形態の一例としてデジタルカメラを用いる。
【００１０】
ただし、以下の説明において、従来技術および実質的に同一の構成に関する説明のうち不必要な部分は省略されることもある。これは、説明を簡単にするためである。
【００１１】
また、以下の説明および添付の図面は、当業者が本開示を充分に理解できるよう開示されるのであって、特許請求の範囲の主題を限定することを意図されていない。
【００１２】
＜１．実施形態１＞
以下、実施形態１におけるデジタルカメラおよびスマートフォンの構成および動作を説明する。
【００１３】
＜１−１．構成＞
以下、図面を用いて本実施形態のシステムの構成と、デジタルカメラおよびスマートフォンの構成を説明する。
【００１４】
＜１−１−１．デジタルカメラおよびスマートフォンによって構成される通信システムの構成＞
図１を用いて、本実施形態におけるデジタルカメラおよびスマートフォンによって構成されるシステムの構成について説明する。
【００１５】
本実施形態の通信システムは、デジタルカメラ１００およびスマートフォン２５０によって構成される。
【００１６】
デジタルカメラ１００はスマートフォン２５０と通信するための通信部を備える。デジタルカメラ１００は、撮影待機画面に表示される撮影画像（以下、「スルー画像」と称す）データおよび、記録媒体に記録された画像（以下、「記録画像」と称す）データをスマートフォン２５０へと送信することが可能である。また、デジタルカメラ１００は、撮影により新たに取得した記録画像のデータを、スマートフォン２５０に送信することができる。
【００１７】
スマートフォン２５０はデジタルカメラ１００と通信するための通信部を備える。スマートフォン２５０は、デジタルカメラ１００から送信されたスルー画像および記録画像を受信する。スマートフォン２５０は、デジタルカメラ１００よりスルー画像を受信することにより、スマートフォン２５０が備える表示部にスルー画像を表示することができる。
【００１８】
＜１−１−２．デジタルカメラの構成＞
図２は、デジタルカメラ１００の電気的構成を示す図である。
【００１９】
デジタルカメラ１００は、光学系１１０と、ＣＣＤイメージセンサ１２０と、ＡＦＥ（アナログ・フロント・エンド）１２１と、画像処理部１２２と、液晶モニタ１２３と、バッファメモリ１２４と、コントローラ１３０と、メモリカード１４０を格納できるカードスロット１４１と、フラッシュメモリ１４２と、操作部１５０と、電源１６０と、通信部１７１とを備える。
【００２０】
デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは、ＡＦＥ１２１および画像処理部１２２において各種処理が施される。生成された画像データはフラッシュメモリ１４２および／またはメモリカード１４０に格納される。フラッシュメモリ１４２および／またはメモリカード１４０に記録された画像データに基づく画像は、ユーザによる操作部１５０への操作に従って液晶モニタ１２３上に表示される。
【００２１】
光学系１１０は、フォーカスレンズ１１１、ズームレンズ１１２、絞り１１３、およびシャッタ１１４を含む。なお、光学系１１０は、光学式手ぶれ補正レンズＯＩＳ（図示せず）を含んでいてもよい。また、光学系１１０を構成する各種レンズは任意の数のレンズから構成されても、任意の数のレンズ群から構成されてもよい。
【００２２】
ＣＣＤイメージセンサ１２０は、光学系１１０を通して形成された被写体像を撮像して画像データを生成する。ＣＣＤイメージセンサ１２０は、所定のフレームレート（例えば、３０フレーム／秒）で新しいフレームの画像データを生成する。ＣＣＤイメージセンサ１２０が画像データを生成するタイミングおよびＣＣＤイメージセンサ１２０の電子シャッタ動作は、コントローラ１３０によって制御される。生成された画像データをスルー画像として逐一液晶モニタ１２３に表示することにより、ユーザはリアルタイムに被写体の状況を液晶モニタ１２３で確認できる。
【００２３】
ＡＦＥ１２１は、ＣＣＤイメージセンサ１２０で生成された画像データに対して、相関二重サンプリングによる雑音抑圧と、アナログゲインコントローラによるＩＳＯ感度値に基づくゲインの乗算と、ＡＤコンバータによるＡＤ変換とを施す。その後、ＡＦＥ１２１は画像データを画像処理部１２２に出力する。
【００２４】
画像処理部１２２は、ＡＦＥ１２１から出力された画像データに対して各種の処理を施す。各種処理は、ＢＭ（ブロックメモリ）積算、スミア補正、ホワイトバランス補正、ガンマ補正、ＹＣ変換処理、電子ズーム処理、圧縮処理、および／または伸張処理を含むが、これらに限定されない。画像処理部１２２は、ハードワイヤードな電子回路で構成されてもよいし、プログラムを用いたマイクロコンピュータなどで構成されてもよい。また画像処理部１２２は、コントローラ１３０などとともに、１つの半導体チップで構成されてもよい。
【００２５】
液晶モニタ１２３は、デジタルカメラ１００の背面に設置される。液晶モニタ１２３は、画像処理部１２２にて処理された画像データに基づく画像を表示する。液晶モニタ１２３が表示する画像には、スルー画像や記録画像が含まれる。
【００２６】
コントローラ１３０は、デジタルカメラ１００全体の動作を制御する。また、コントローラ１３０はアクセスポイント機能を有する。コントローラ１３０は、ハードワイヤードな電子回路で構成されてもよいし、マイクロコンピュータなどで構成されてもよい。またコントローラ１３０は、画像処理部１２２などと共に、１つの半導体チップで構成されてもよい。
【００２７】
フラッシュメモリ１４２は、画像データ等を記録するための内部メモリとして機能する。また、フラッシュメモリ１４２は、オートフォーカス制御（ＡＦ制御）に関するプログラム、通信制御に関するプログラム、および／またはデジタルカメラ１００全体の動作を制御するためのプログラム等を格納している。
【００２８】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。
【００２９】
カードスロット１４１は、メモリカード１４０を格納できる接続手段である。カードスロット１４１は、メモリカード１４０と電気的及び機械的に接続可能である。なお、カードスロット１４１は、メモリカード１４０を制御する機能を備えてもよい。
【００３０】
メモリカード１４０は、内部にフラッシュメモリ等の記憶素子を備えた外部メモリである。メモリカード１４０は、画像処理部１２２で処理された画像データなどのデータを格納可能である。
【００３１】
通信部１７１は、無線または有線の通信インターフェースである。コントローラ１３０は通信部１７１およびアクセスポイント経由でインターネット網に接続することができる。通信部１７１は、例えば、ＵＳＢ、Ｂｌｕｅｔｏｏｔｈ（登録商標）、無線ＬＡＮ、または有線ＬＡＮ等により実現可能である。
【００３２】
電源１６０は、デジタルカメラ１００の各部に電力を供給する。電源１６０は、デジタルカメラ１００に格納されたバッテリであってもよいし、外部のＡＣ電源から電力をケーブルを介して取り込むよう構成されてもよい。
【００３３】
操作部１５０は、デジタルカメラ１００の外装に設置された操作釦、操作レバー、および／または電源スイッチを含む。操作部１５０はユーザによる操作を受け付ける。操作部１５０はユーザによる操作を受け付けると、種々の動作を指示するための信号をコントローラ１３０に送信する。電源スイッチは、電源１６０によるデジタルカメラ１００への電力供給を開始または停止させるための（つまり、デジタルカメラ１００の電源１６０をＯＮ状態またはＯＦＦ状態に切り替えるための）スイッチである。
【００３４】
＜１−１−３．スマートフォンの構成＞
図３を用いて、スマートフォン２５０の構成について説明する。図３は、スマートフォン２５０の電気的構成を示す図である。
【００３５】
スマートフォン２５０は、コントローラ２５１と、ワークメモリ２５２と、フラッシュメモリ２５３と、通信部２５４と、液晶モニタ２５６と、タッチパネル２５７とを備える。スマートフォン２５０は、撮像部、および／または画像処理部を備えてもよい。
【００３６】
コントローラ２５１は、スマートフォン２５０上の処理を実行する処理手段である。コントローラ２５１は、ワークメモリ２５２と、フラッシュメモリ２５３と、通信部２５４と、液晶モニタ２５６と、タッチパネル２５７とに電気的に接続されている。コントローラ２５１は、タッチパネル２５７上のユーザによる操作を受け付ける。コントローラ２５１は、データをフラッシュメモリ２５３に格納したり、フラッシュメモリ２５３からデータを読み出したりすることができる。またコントローラ２５１は、スマートフォン２５０の各部に供給される電力に関するシステム等を制御している。またコントローラ２５１は電話機能およびインターネットを介してダウンロードした各種アプリケーションを実行する。
【００３７】
ワークメモリ２５２は、コントローラ２５１が各種処理を実行するために必要な情報を一時的に格納するメモリである。
【００３８】
フラッシュメモリ２５３は、各種データを格納する大容量のディスクドライブである。上述したように、フラッシュメモリ２５３に格納された各種データは、適宜コントローラ２５１により読み出し可能である。なお、本実施形態では、スマートフォン２５０はフラッシュメモリ２５３を備えたが、スマートフォン２５０がフラッシュメモリでなく他の種類の記録媒体（ハードディスクドライブ等）を備えても良い。
【００３９】
液晶モニタ２５６は、コントローラ２５１によって指定された画面を表示する表示デバイスである。
【００４０】
タッチパネル２５７は、ユーザの操作を受け付ける入力デバイスである。なお、本実施形態では、スマートフォン２５０がユーザの操作を受け付ける入力デバイスとしてタッチパネル２５７を備えたが、スマートフォン２５０がタッチパネルでなく他の種類の入力デバイス（ハードキー等）を備えても良い。
【００４１】
通信部２５４は、インターネット網を介して他の装置から受信したデータをコントローラ２５１に入力したり、コントローラ２５１から受け取った画像データをインターネット網を介して他の装置に送信したりすることができる。通信部２５４は、例えば、有線ＬＡＮまたは無線ＬＡＮにより実現することが可能である。
【００４２】
＜１−２．デジタルカメラの動作＞
以下、デジタルカメラ１００の動作について説明する。まずデジタルカメラ１００の基本動作について説明し、その後、デジタルカメラ１００とスマートフォン２５０との間の通信におけるデジタルカメラ１００の動作について説明する。
【００４３】
＜１−２−１．デジタルカメラの基本動作＞
デジタルカメラ１００のコントローラ１３０は、デジタルカメラ１００の電源がＯＮ状態に切り替えられると、デジタルカメラ１００の各部に電力を供給し、デジタルカメラ１００を撮影が可能な状態に制御する。
【００４４】
デジタルカメラ１００は、撮影モードと、再生モードとを有している。デジタルカメラ１００が撮影モードに設定されているときは、コントローラ１３０は、光学系１１０を通じて入射された被写体像からＣＣＤイメージセンサ１２０により撮像された画像データに基づくスルー画像を、液晶モニタ１２３に表示する。
【００４５】
スルー画像が液晶モニタ１２３に表示されることにより、ユーザは、液晶モニタ１２３に表示されているスルー画像を見ることにより、被写体の画角等が撮影を所望するものであるか否かを確認できる。そして、ユーザが所望のタイミングでレリーズ釦を押下することにより、そのタイミングにＣＣＤイメージセンサ１２０によって撮像された画像は、画像処理部１２２により処理されて、記録画像としてメモリカード１４０に記録される。
【００４６】
一方、デジタルカメラ１００が再生モードに設定されているときは、コントローラ１３０は、メモリカード１４０に記録済みの画像を読み出して、読み出した画像を液晶モニタ１２３に表示する。これにより、ユーザは、記録済みの画像を確認することができる。
【００４７】
＜１−２−２．デジタルカメラの通信動作＞
図４を用いて、デジタルカメラ１００とスマートフォン２５０との間の通信におけるデジタルカメラ１００の動作について説明する。図４は、デジタルカメラ１００とスマートフォン２５０との間の通信におけるデジタルカメラ１００の動作を示すフローチャートである。
【００４８】
デジタルカメラ１００の電源がＯＮ状態であるときに、コントローラ１３０は、ユーザにより操作部１５０が操作されて電源ＯＦＦ指示（電源ＯＦＦ操作）がなされた否かを監視している（Ｓ３００）。
【００４９】
コントローラ１３０は、ユーザにより電源ＯＦＦ操作が為されるまでは、電源（バッテリ等）による電力供給が継続されている限り、デジタルカメラ１００の電源ＯＮ状態を維持する（ステップＳ３００におけるＮｏ）。
【００５０】
一方、ユーザにより電源ＯＦＦ操作が為されたことを検出すると（ステップＳ３００におけるＹｅｓ）、コントローラ１３０は、電力の供給を要する構成要素のうち、一部の構成要素への電力供給を停止する（Ｓ３０１）。すなわち、デジタルカメラ１００は、ユーザにより電源ＯＦＦ操作が為されると、一部電源をＯＦＦ状態に移行させる。
【００５１】
ここで、電力供給を停止される一部の構成要素は、通信機能に関係のない構成要素である。通信機能に関係のない構成要素は、具体的には、光学系１１０を駆動するための駆動部、ＣＣＤイメージセンサ１２０、およびＡＦＥ１２１等の撮影のみに関する撮影部、および液晶モニタ１２３といった表示部等である。すなわち、ユーザによる電源ＯＦＦ操作が為されると、コントローラ１３０は、通信機能に関係のない構成要素への電力供給を停止するよう、各部を制御する。
【００５２】
これにより、デジタルカメラ１００とスマートフォン２５０との間の通信が開始されるまでの待機期間の、デジタルカメラ１００の消費電力を、電力が全ての構成要素へ供給された場合に比べて、低減させることができる。
【００５３】
また、このとき、コントローラ１３０は、通信部１７１などの通信機能に関する構成要素および、通信中に使用する可能性のある構成要素（メモリカード１４０、カードスロット１４１、およびフラッシュメモリ１４２など）への電力供給を継続する。また、コントローラ１３０は、デジタルカメラ１００のアクセスポイント機能を起動状態に維持する。
【００５４】
その後、デジタルカメラ１００のコントローラ１３０は、所定時間の間、スマートフォン２５０等の通信装置からの接続要求を受信するまで待機する（Ｓ３０２）。ここで所定時間は、例えば、数分、または約１時間である。このとき、デジタルカメラ１００のコントローラ１３０は、アクセスポイント機能を起動状態に維持しており、スマートフォン２５０等の通信装置（クライアント装置）がデジタルカメラ１００へ接続できる状態を維持している。これにより、スマートフォン２５０等の通信装置は、デジタルカメラ１００を接続相手として発見できる。
【００５５】
待機中、デジタルカメラ１００のコントローラ１３０は、スマートフォン２５０からデジタルカメラ１００への接続要求があったか否かを監視している（Ｓ３０３）。デジタルカメラ１００は電源ＯＦＦ操作後もアクセスポイント機能を起動状態に維持しているので、クライアントとなるスマートフォン２５０はデジタルカメラ１００を接続相手として発見できる。また、デジタルカメラ１００のコントローラ１３０は、接続要求を待機する所定の時間が経過したか否かを判定する（Ｓ３０９）。
【００５６】
デジタルカメラ１００のコントローラ１３０は、接続要求を待機する所定の時間が経過するまでは（ステップＳ３０９におけるＮｏ）、接続待機（Ｓ３０２）、接続要求の判定（Ｓ３０３）、および所定時間が経過したか否かの判定（Ｓ３０９）の動作を繰り返す。
【００５７】
デジタルカメラ１００のコントローラ１３０は、スマートフォン２５０からの接続要求がなく所定時間が経過した場合（ステップＳ３０９におけるＹｅｓ）、デジタルカメラ１００を構成する全ての構成要素への電力供給を停止する（Ｓ３１０）。すなわち、コントローラ１３０は、通信機能に関係のない構成要素への電力供給はすでに停止しているので（Ｓ３０１）、デジタルカメラ１００のコントローラ１３０は、通信機能に関係する残りの構成要素（通信部１７１、メモリカード１４０、カードスロット１４１など）への電力供給を停止する。これにより、デジタルカメラ１００の電源１６０は完全に電源ＯＦＦ状態となり、デジタルカメラ１００は非動作状態となる。
【００５８】
一方、スマートフォン２５０から接続要求があった場合（ステップＳ３０３におけるＹｅｓ）、デジタルカメラ１００は、通信部１７１と通信部２５４とを介して、スマートフォン２５０に対して接続動作を行なう（Ｓ３０４）。具体的には、デジタルカメラ１００は以下の手順でスマートフォン２５０と接続して通信を確立する。
【００５９】
デジタルカメラ１００はアクセスポイント機能を起動状態に維持しているので、スマートフォン２５０のコントローラ２５１は接続可能なアクセスポイントの一覧に基づいてデジタルカメラ１００を接続相手として指定することができる。
【００６０】
なお、スマートフォン２５０は、接続相手を指定するとき、接続可能なアクセスポイントを自動的に指定してもよいし、ユーザによって指定されたアクセスポイントを指定してもよい。スマートフォン２５０がユーザによって指定されたアクセスポイントを指定した場合、スマートフォン２５０は、２回目以降の接続相手の指定時に、ユーザによって指定された接続相手（デジタルカメラ１００）を自動的に指定してもよい。
【００６１】
スマートフォン２５０のコントローラ２５１は、デジタルカメラ１００を接続相手として指定すると、通信部２５４を介して、デジタルカメラ１００に対して接続要求を送信する。デジタルカメラ１００のコントローラ１３０は、通信部１７１を介してスマートフォン２５０からの接続要求を受信すると、スマートフォン２５０のコントローラ２５１に、デジタルカメラ１００への接続を許可することを示す情報を送信する。ただし、接続許可を示す情報は、デジタルカメラ１００に接続制限などの制限が設定されている場合は送信されない。スマートフォン２５０のコントローラ２５１が接続許可を示す情報を受信すると、デジタルカメラ１００とスマートフォン２５０との間の通信部１７１および通信部２５４を介した通信は確立される。すなわち、デジタルカメラ１００は、電源ＯＦＦ操作後の所定時間内であれば、スマートフォン２５０から接続要求を受けると、スマートフォン２５０との通信を確立させることができる。
【００６２】
通信が確立されると、デジタルカメラ１００のコントローラ１３０は、通信相手のスマートフォン２５０に対して、メモリカード１４０内の画像を送信する（Ｓ３０５）。スマートフォン２５０に送信される画像は所定の方法で決定される。
【００６３】
デジタルカメラ１００がスマートフォン２５０に対して送信する画像を決定するための所定の方法について、３つの例を挙げて説明する。
【００６４】
一つ目の決定方法として、ユーザが送信対象として１つ以上の画像をデジタルカメラ１００で予め選択する。具体的には以下に示す手順で画像が選択される。図５は、送信する画像を選択するためのＧＵＩ（Graphical User Interface）を示す図である。ＧＵＩには、メモリカード１４０に格納された画像Ｐ１が表示される。再生モードにおいて、ユーザは、例えば液晶モニタ１２３に表示されるＧＵＩ上で画像Ｐ１を閲覧しながら、操作部１５０を操作して送信対象の１つ以上の画像を選択していく。選択された画像に対しては、チェックマークＢ１が表示される。ユーザは、送信対象の画像の選択を終えると、選択が完了されたことをデジタルカメラ１００に示すための操作を行う。デジタルカメラ１００のコントローラ１３０は、この選択完了を示す操作を受けると、ユーザが送信対象として選択した画像の一覧を示す管理情報（リスト）を作成して管理情報をフラッシュメモリ１４２に保存する。そして、デジタルカメラ１００とスマートフォン２５０との間の通信が確立されたときに（Ｓ３０４）、デジタルカメラ１００のコントローラ１３０は、フラッシュメモリ１４２に保存された管理情報に従って、スマートフォン２５０に画像を送信する（Ｓ３０５）。
【００６５】
二つ目の決定方法は次の通りである。デジタルカメラ１００は、スマートフォン２５０に送信済みの画像のリストを作成し、リストをフラッシュメモリ１４２に保存する。デジタルカメラ１００とスマートフォン２５０との間の通信が確立されたときに（Ｓ３０４）、デジタルカメラ１００のコントローラ１３０は、フラッシュメモリ１４２内の送信済みの画像のリストを参照して、メモリカード１４０内の画像のうち未送信の画像をスマートフォン２５０に送信する（Ｓ３０５）。
【００６６】
三つ目の決定方法は次の通りである。スマートフォン２５０が、デジタルカメラ１００から取得済みの画像のリストを作成し、リストをフラッシュメモリ２５３に保存する。デジタルカメラ１００とスマートフォン２５０との間の通信が確立されたとき（Ｓ３０４）、スマートフォン２５０は、取得済みの画像のリストをデジタルカメラ１００に送信する。そして、デジタルカメラ１００のコントローラ１３０は、受信した取得済みの画像のリストを参照して、メモリカード１４０内の画像のうち、スマートフォン２５０が取得していない画像のリストを作成する。デジタルカメラ１００のコントローラ１３０は、この未取得画像のリストを参照して、未取得画像をスマートフォン２５０に送信する（Ｓ３０５）。
【００６７】
デジタルカメラ１００は上記３つの決定方法のうちの１つを行なうよう予め構成されてもよい。また、上記３つの決定方法のうちの１つが、電源ＯＦＦ操作時にユーザによって選択されてもよい。
【００６８】
上記のいずれかの方法で決定された画像が送信された（Ｓ３０５）後、デジタルカメラ１００のコントローラ１３０は、スマートフォン２５０に送信すべき画像が残っているか否か、すなわち画像転送が終了したか否かを判定する（Ｓ３０６）。
【００６９】
スマートフォン２５０に送信すべき画像が残っている場合、すなわち画像転送が終了していない場合（ステップＳ３０６におけるＮｏ）、デジタルカメラ１００のコントローラ１３０は、スマートフォン２５０への画像転送を継続する。
【００７０】
一方、スマートフォン２５０に送信すべき画像が残っていない場合、すなわち画像転送が終了した場合（ステップＳ３０６におけるＹｅｓ）、デジタルカメラ１００のコントローラ１３０は、スマートフォン２５０との通信を切断する（Ｓ３０７）。具体的には、デジタルカメラ１００のコントローラ１３０は、アクセスポイント機能を停止する。これによりスマートフォン２５０は通信を確立していたアクセスポイントを見失うので、通信が切断される。
【００７１】
スマートフォン２５０との通信が切断されると、デジタルカメラ１００のコントローラ１３０は、デジタルカメラ１００の全ての構成要素への電力供給を停止する（Ｓ３０８）。電源ＯＦＦ操作時に通信機能に関係のない構成要素への電力供給はすでに停止されているので（Ｓ３０１）、デジタルカメラ１００のコントローラ１３０は、通信機能に関係する残りの構成要素（通信部１７１、メモリカード１４０、カードスロット１４１など）への電力供給を停止する。これにより、デジタルカメラ１００の電源は完全にＯＦＦ状態となり、デジタルカメラ１００は非動作状態となる。
【００７２】
以上のように、本実施形態のデジタルカメラ１００は、電源ＯＦＦ操作後も、所定の時間は、スマートフォン２５０からの接続要求を受信するまで待機する。そしてデジタルカメラ１００は、所定の時間内にスマートフォン２５０からの接続要求があった場合、スマートフォン２５０との通信を確立して、スマートフォン２５０へ画像を転送する。その後デジタルカメラ１００は、画像の転送を終えると、全体の電源をＯＦＦ状態にする。一方、所定の時間内にスマートフォン２５０からの接続要求がなかった場合は、全体の電源を直ちにＯＦＦ状態にする。これによりデジタルカメラ１００は、デジタルカメラ１００に電源ＯＦＦ操作が為された後、しばらくの間はスマートフォン２５０との通信を確立させることが可能な状態を維持でき、かつスマートフォン２５０との通信を確立できないときは直ちに電源をＯＦＦ状態に切り替えることができる。
【００７３】
したがって、ユーザは、デジタルカメラ１００の電源ＯＦＦ後に画像をデジタルカメラ１００からスマートフォン２５０へ転送するときにデジタルカメラ１００とスマートフォン２５０との双方を操作する必要がなく、利便性を向上できる。
【００７４】
＜１−３．デジタルカメラの使用例＞
図６を用いて本実施形態のデジタルカメラ１００の使用例について、説明する。図６は、ユーザによるデジタルカメラ１００およびスマートフォン２５０の使用例を説明するための図である。
【００７５】
図６（Ａ）は、ユーザがデジタルカメラ１００を用いて所望の被写体を撮影している様子を示す図である。ユーザは、所望の被写体の撮影を終えるまで、図６（Ａ）に示す状態にある。
【００７６】
図６（Ｂ）は、ユーザがデジタルカメラ１００による撮影を終えて、カバン（ポケット等でもよい）にデジタルカメラ１００を収納した状態を示す図である。ユーザは、デジタルカメラ１００の撮影を終えると、操作部１５０を操作してデジタルカメラ１００の電源をＯＦＦに切り替えてから、カバン（ポケット等）にデジタルカメラ１００を収納している。
【００７７】
図６（Ｃ）は、デジタルカメラ１００をカバンに収納した後に、スマートフォン２５０の電源を入れた状態を示す図である。近年、携帯電話、およびスマートフォン２５０等のポータブル端末が普及して以来、暇をスマートフォン２５０の使用に費やす人が増えている。幾人かのユーザは、例えば、デジタルカメラ１００による撮影という「作業」を終えた後に、スマートフォン２５０でＷｅｂページをブラウジングしたり、ソーシャルネットワークのサイトを確認したりする傾向がある。このとき、カバン等に収納された本実施形態のデジタルカメラ１００は、電源ＯＦＦ操作後も通信機能が活かされているので、スマートフォン２５０はデジタルカメラ１００と通信できる。デジタルカメラ１００は、スマートフォン２５０との通信が確立されたときに画像の転送を開始させることができる。そして、デジタルカメラ１００は、画像をスマートフォン２５０へ転送しおわると、ユーザが操作することなく、電源をＯＦＦ状態に切り替える。
【００７８】
以上のように、ユーザが本実施形態のデジタルカメラ１００の電源をＯＦＦにした後の所定期間内にデータをスマートフォン２５０に転送するとき、デジタルカメラ１００およびスマートフォン２５０の双方を同時に操作する必要がない。したがって、利便性を向上できる。
【００７９】
＜１−４．まとめ＞
本実施形態のデジタルカメラ１００は、デジタルカメラ１００の電源をＯＦＦ状態にするための指示を受け付ける操作部１５０と、メモリカード１４０および／またはフラッシュメモリ１４２からデータを取得するコントローラ１３０と、取得したデータをスマートフォン２５０に送信する通信部１７１と、デジタルカメラ１００の電源を制御するコントローラ１３０と、を備える。コントローラ１３０は、操作部１５０が電源をＯＦＦ状態にするための指示を受け付けた後、所定時間の間、少なくとも、スマートフォン２５０との間で通信を確立するために電力供給が必要な構成要素に対して、電力を供給する。
【００８０】
上記構成を有するデジタルカメラ１００によれば、画像がデジタルカメラ１００からスマートフォン２５０へ転送されるときにユーザがデジタルカメラ１００およびスマートフォン２５０の双方を同時に操作する必要がない。よって、デジタルカメラ１００およびスマートフォン２５０の双方を同時に操作する場合に比べて、利便性を向上できる。
【００８１】
＜２．実施形態２＞
実施形態２について説明する。
【００８２】
実施形態１では、スマートフォン２５０へ送信される画像はデジタルカメラ１００に電源ＯＦＦ操作が為される前に選択された。そしてデジタルカメラ１００は、電源ＯＦＦ操作後にデジタルカメラ１００とスマートフォン２５０との間の通信が確立されたとき、選択された画像をスマートフォン２５０へ送信した。
【００８３】
これに対して、本実施形態では、スマートフォン２５０へ送信される画像は、電源ＯＦＦ操作後の所定期間内にデジタルカメラ１００とスマートフォン２５０との間の通信が確立された後に、スマートフォン２５０上で選択される。これ以外のデジタルカメラ１００の構成および動作は実施形態１と同じである。
【００８４】
図７を用いて、本実施形態のデジタルカメラ１００の動作について説明する。図７に示すように、本実施形態のデジタルカメラ１００は、電源がＯＮ状態に切り替えられてからスマートフォン２５０との通信が確立されるまでの動作（Ｓ３００〜Ｓ３０４、Ｓ３０９〜Ｓ３１０）を、実施形態１と同様に行なう。
【００８５】
その後、通信が確立されると、本実施形態のデジタルカメラ１００は、フラッシュメモリ１４２内の画像の一覧を示す情報をスマートフォン２５０へ送信し（Ｓ３１１）、タイマーを初期化する（Ｓ３１２）。以下、画像の一覧を示す情報を「一覧情報」と称す。
【００８６】
スマートフォン２５０は、一覧情報を受信すると、デジタルカメラ１００からスマートフォン２５０へ送信する画像をユーザに選択させるためのＧＵＩを、液晶モニタ２５６に表示する。例えば、図５に示すＧＵＩが表示される。このＧＵＩによってユーザは、デジタルカメラ１００上で画像を選択する場合と同様に、画像を選択できる。
【００８７】
画像の選択が完了すると、スマートフォン２５０は画像選択の完了を示す情報をデジタルカメラ１００に送信する。
【００８８】
デジタルカメラ１００のコントローラ１３０は、一覧情報を送信した後、デジタルカメラ１００からスマートフォン２５０へ送信する画像がユーザによって選択されたか否かを判定する（Ｓ３１３）。画像選択の判定は、デジタルカメラ１００が画像選択の完了を示す情報をスマートフォン２５０から受信したか否かに基づいて行なわれる。
【００８９】
デジタルカメラ１００のコントローラ１３０は、デジタルカメラ１００からスマートフォン２５０へ送信する画像がユーザによって選択されたと判定すると（ステップＳ３１３におけるＹｅｓ）、選択された画像をスマートフォン２５０に送信する（Ｓ３１４）。そしてデジタルカメラ１００は、タイマーを初期化する（Ｓ３１２）。
【００９０】
一方、デジタルカメラ１００は、デジタルカメラ１００からスマートフォン２５０へ送信する画像がユーザによって選択されていないと判定したときは（ステップＳ３１３におけるＮｏ）、タイマーの時間が所定時間（例えば数分）を過ぎたか否かを判定する（Ｓ３１５）。
【００９１】
デジタルカメラ１００は、タイマーの時間が所定時間を過ぎていないと判定したときは（ステップＳ３１５におけるＮｏ）、再び、デジタルカメラ１００からスマートフォン２５０へ送信する画像がユーザによって選択されたか否かを判定する（Ｓ３１３）。
【００９２】
一方、デジタルカメラ１００は、タイマーの時間が所定時間を過ぎたと判定すると（ステップＳ３１５におけるＹｅｓ）、スマートフォン２５０との通信を切断し（Ｓ３０７）、デジタルカメラ１００の全ての構成要素への電力供給を停止する（Ｓ３０８）。
【００９３】
以上の動作によっても、実施形態１と同様、画像がデジタルカメラ１００からスマートフォン２５０へ送信されるときの利便性を向上できる。
【００９４】
なお、本実施形態では、通信確立後にデジタルカメラ１００の全ての構成要素への電力供給が停止されるのは（Ｓ３０８）、所定時間内に画像が選択されない場合（ステップＳ３１５におけるＹｅｓ）であった。しかし、スマートフォン２５０上で画像が選択される代わりに、スマートフォン２５０上でデジタルカメラ１００の電源をＯＦＦ状態にするための操作が為されたときにも、デジタルカメラ１００の全ての構成要素への電力供給が停止されてもよい。
【００９５】
＜３．実施形態３＞
図８を用いて実施形態３について説明する。本実施形態のデジタルカメラ１００は、一部の動作を除いて、デジタルカメラ１００の構成および動作は実施形態１と同じである。
【００９６】
実施形態１のデジタルカメラ１００は、スマートフォン２５０への画像転送の終了後（ステップＳ３０６におけるＹｅｓ）、スマートフォン２５０との通信を切断した後（Ｓ３０７）、全ての構成要素への電力供給を停止した（Ｓ３０８）。これに対し、本実施形態のデジタルカメラ１００は、画像転送の終了後、（ステップＳ３０６におけるＹｅｓ）、スマートフォン２５０との通信を切断した後（Ｓ３０７）、全ての構成要素への電力供給を停止せず、再度、所定期間、通信に関係する最低限の構成要素以外への電力供給を維持して外部からの接続を受け付け可能な状態を維持する（Ｓ３０２）。
【００９７】
これにより、例えば、先程まで接続されていた装置と異なる装置からの接続を受け付け可能な状態を維持できる。
【００９８】
以上の動作によっても、実施形態１と同様、画像がデジタルカメラ１００からスマートフォン２５０へ送信されるときの利便性を向上できる。
【００９９】
＜４．他の実施形態＞
上記実施形態の思想は、以上で説明された実施形態に限定されない。種々の実施形態が考えられてもよい。以下、上記実施形態の思想を適用できる他の実施形態について説明する。
【０１００】
なお、上記実施形態では、デジタルカメラ１００と通信する通信装置の一例としてスマートフォン２５０が用いられた。しかしスマートフォン２５０以外の装置が、デジタルカメラ１００と通信する通信装置として用いられてもよい。
【０１０１】
上記実施形態では、画像データがスマートフォン２５０に送信された。しかし上記実施形態の思想は画像データの送信に限定されない。画像データ以外のデータがスマートフォン２５０に送信されてもよい。例えば、動画データ、音声データ、または文書データが送信されてもよい。
【０１０２】
上記実施形態のデジタルカメラ１００は、電源ＯＦＦ操作が為されたとき（ステップＳ３００におけるＹｅｓ）、メモリカード１４０およびカードスロット１４１への電力供給を維持した（Ｓ３０１）。しかし上記実施形態の思想はこれに限定されない。電源ＯＦＦ操作が為されたとき、通信確立のために必要でない構成要素（メモリカード１４０およびカードスロット１４１等）への電力供給が停止されてもよい。ただし、この場合は、デジタルカメラ１００とスマートフォン２５０との間の通信が確立されたとき、デジタルカメラ１００はメモリカード１４０およびカードスロット１４１へ電力を供給する。要するに、デジタルカメラ１００は、スマートフォン２５０からの接続要求を待機している間（Ｓ３０２〜Ｓ３０３、Ｓ３０９）、少なくとも、スマートフォン２５０との間の通信を確立するために必要な構成要素に電力を供給する。
【０１０３】
上記実施形態のデジタルカメラ１００は、電源ＯＦＦ操作が為されたとき（ステップＳ３００におけるＹｅｓ）、デジタルカメラ１００の一部の構成要素のみに対する電力供給を維持した（Ｓ３０１）。これにより、デジタルカメラ１００の消費電力を低減できる。しかし上記実施形態の思想はこれに限定されない。電源ＯＦＦ操作が為されたとき、デジタルカメラ１００のそれまで電力を供給されていた全ての構成要素への電力供給を維持してもよい。このような制御によっても、上記実施形態と同様、ユーザは画像転送のためにデジタルカメラ１００およびスマートフォン２５０の双方を同時に操作する必要がないので、利便性を向上させることは可能である。
【０１０４】
上記実施形態において、デジタルカメラ１００がアクセスポイントとして機能することにより、デジタルカメラ１００とスマートフォン２５０との間の通信が確立された。しかし上記実施形態の思想はこれに限定されない。つまり、デジタルカメラ１００以外の装置がアクセスポイントとして機能してもよい。例えば、スマートフォン２５０がアクセスポイント機能を有してよい。この場合、デジタルカメラ１００がアクセスポイントであるスマートフォン２５０に接続要求を行なうことにより、通信が確立される。或いは、デジタルカメラ１００およびスマートフォン２５０以外のアクセスポイントを経由して、デジタルカメラ１００とスマートフォン２５０との間の通信が確立されてもよい。また、デジタルカメラ１００およびスマートフォン２５０が、アドホックモードにより通信を確立してもよい。要するに、デジタルカメラ１００は、電源ＯＦＦ操作が為されても、所定の時間内は、他の通信装置との間の通信を確立することが可能な状態を維持するよう構成されればよい。以上のように構成されたデジタルカメラ１００にも上記実施形態の思想を適用できる。
【０１０５】
また、上記実施形態では、デジタルカメラ１００のコントローラ１３０が、スマートフォン２５０に送信すべき画像が残っているか否かを判断した（Ｓ３０６）。そしてデジタルカメラ１００のコントローラ１３０は、スマートフォン２５０に送信すべき画像が残っていない場合に（ステップＳ３０６におけるＹｅｓ）、スマートフォン２５０との通信を切断した（Ｓ３０７）。しかし上記実施形態の思想はこれに限定されない。つまり、デジタルカメラ１００以外の装置が通信を切断してもよい。例えば、スマートフォン２５０がデジタルカメラ１００との通信を切断してもよい。この場合、デジタルカメラ１００は、送信すべきすべての画像の送信が終了すると、スマートフォン２５０に対して、全画像の送信完了を通知する。スマートフォン２５０は、デジタルカメラ１００からの送信完了通知を受信すると、デジタルカメラ１００との間の通信を切断する（ステップＳ３０７に相当）。デジタルカメラ１００のコントローラ１３０は、スマートフォン２５０との間の通信が切断されると、デジタルカメラ１００の全ての構成要素への電力供給を停止する（ステップＳ３０８に相当）。要するに、デジタルカメラ１００が、デジタルカメラ１００からスマートフォン２５０へ送信すべき画像が残っていないときにデジタルカメラ１００とスマートフォンとの間の通信が切断されるよう、構成される。このように構成されたデジタルカメラ１００には、上記実施形態の思想が適用できる。
【０１０６】
また、上記実施形態では、デジタルカメラ１００のコントローラ１３０は、スマートフォン２５０からの接続要求がないまま所定時間が経過した場合（ステップＳ３０９におけるＹｅｓ）は、デジタルカメラ１００の全ての構成要素への電力供給を停止する（Ｓ３１０）。すなわち、ステップＳ３０１において通信機能に関係のない構成要素への電力供給はすでに停止しているので、デジタルカメラ１００のコントローラ１３０は、通信機能に関係する残りの構成要素（通信部１７１、メモリカード１４０、カードスロット１４１等）への電力供給を停止した。しかし上記実施形態の思想はこれに限定されない。つまり、全ての構成要素への電力供給が停止された（Ｓ３１０）後においても、デジタルカメラ１００のコントローラ１３０は、通信機能に関する構成要素への電力供給を間欠的に行なってもよい。ただし、この場合、コントローラ１３０は、電力供給を停止するとき（Ｓ３１０）、コントローラ１３０自体への電力供給を維持する。
【０１０７】
これにより、デジタルカメラ１００に対して所定時間内にスマートフォン２５０からの接続要求がなかった場合（ステップＳ３０９におけるＹｅｓ）であっても、スマートフォン２５０との通信が確立される機会が与えられる。
【０１０８】
ここで、間欠的な電力供給は、具体的には次のように行なわれる。デジタルカメラ１００のコントローラ１３０は、通信機能に対して電力を間欠的に供給してから所定時間内にスマートフォン２５０との通信を確立することができた場合、送信すべき画像データを送信し終わるまで、スマートフォン２５０との通信を維持する。そしてコントローラ１３０は、送信すべき画像データを送信し終えると、通信機能に対する電力供給を停止する。一方、コントローラ１３０は、通信機能に対して電力を間欠的に供給してから所定時間内にスマートフォン２５０との通信状態を確立することができなかった場合、通信機能に対する電力供給を停止する。そしてデジタルカメラ１００のコントローラ１３０は、所定時間後に、再び通信機能に対して電力を間欠的に供給する。以上のように、デジタルカメラ１００は、電源ＯＦＦ後においても、通信機能の間欠動作を継続してもよい。
【０１０９】
これにより、デジタルカメラ１００は、電源ＯＦＦ操作後も、間欠的に通信機能を起動させるので、スマートフォン２５０と間の通信を確立する機会が与えられる。それとともに、間欠的に通信機能が起動されるので、常時電源ＯＮする場合よりも消費電力を低減できる。
【０１１０】
また、上記実施形態においては、デジタルカメラ１００が、電源ＯＦＦ操作を受け付けても、所定の時間は他の通信装置との通信を確立できる状態を維持する通信装置が、デジタルカメラであった。しかし、上記実施形態の思想は、デジタルカメラだけでなく、通信機能を有して画像等のデータを通信可能なデバイス（スマートフォン、タブレット等）に適用できる。
【０１１１】
また、上記実施形態のデジタルカメラ１００はレンズを内蔵したが、上記実施形態の思想はこれに限定されない。上記実施形態の思想はレンズを着脱可能なカメラにも適用可能である。
【０１１２】
また、上記実施形態のデジタルカメラ１００は、電源ＯＦＦ操作が為されると（ステップＳ３００におけるＹｅｓ）、通信に関係のない構成要素への電力供給を停止した（Ｓ３０１）。しかし、デジタルカメラ１００は、電源ＯＦＦ操作が為されたとき、スマートフォン２５０へ送信すべき画像があるか否かを判定してもよい。この場合、デジタルカメラ１００は、送信すべき画像がないと判定したとき、所定時間の経過を待つことなく、デジタルカメラ１００の全ての構成要素への電力供給を停止する。一方、デジタルカメラ１００は、送信すべき画像があると判定したときは、上記実施形態と同様、所定時間の間、スマートフォン２５０からの接続要求を待機する（Ｓ３０２〜Ｓ３０３、Ｓ３０９）。
【０１１３】
以上、本開示における技術の例示として、実施形態を説明した。そのために、詳細な説明および添付の図面を開示した。よって、詳細な説明および添付の図面に記載された構成要素の中には、課題解決のために必須でない構成要素が含まれることがある。したがって、それらの必須でない構成要素が、詳細な説明および添付の図面に記載されているからといって、それらの必須でない構成要素が必須であると直ちに認定されるべきではない。
【０１１４】
また、上記実施形態は、本開示における技術を例示するためのものである。よって、上記実施形態は、特許請求の範囲またはその均等の範囲において種々の変更、置換、付加および／または省略等を行なわれてもよい。
【産業上の利用可能性】
【０１１５】
本開示の思想は、画像等のデータを、通信を介して送信可能な通信装置に適用可能である。
【符号の説明】
【０１１６】
１００…デジタルカメラ
１１０…光学系
１１１…フォーカスレンズ
１１２…ズームレンズ
１１３…絞り
１１４…シャッタ
１２０…ＣＣＤイメージセンサ
１２１…ＡＦＥ（アナログ・フロント・エンド）
１２２…画像処理部
１２３…液晶モニタ
１２４…バッファメモリ
１３０…コントローラ
１４０…メモリカード
１４１…カードスロット
１４２…フラッシュメモリ
１５０…操作部
１６０…電源
１７１…通信部
２５０…スマートフォン
２５１…コントローラ
２５２…ワークメモリ
２５３…フラッシュメモリ
２５４…通信部
２５６…液晶モニタ
２５７…タッチパネル
【手続補正３】
【補正対象書類名】図面
【補正対象項目名】全図
【補正方法】変更
【補正の内容】
【図１】
2013118487.tif 000011
【図２】
2013118487.tif 000012
【図３】
2013118487.tif 000013
【図４】
2013118487.tif 000014
【図５】
2013118487.tif 000015
【図６】
2013118487.tif 000016
【図７】
2013118487.tif 000017
【図８】
2013118487.tif 000018
【国際調査報告】
2013118487.tif 000019
2013118487.tif 000020
2013118487.tif 000021